(57)【特許請求の範囲】
【請求項１】
データを管理する記憶手段にアクセスするための第一アカウントを作成する第一アカウント作成手段と、
前記第一アカウントに対応する第二アカウントを作成する第二アカウント作成手段と、
前記第一アカウントの使用時に、操作手段によりアップロード対象として指定されたデータを指定されたタイミングで前記記憶手段にアップロードする手動アップロード手段と、
前記第二アカウントの使用時に、所定のデータを所定のタイミングで自動的に前記記憶手段にアップロードする自動アップロード手段と、
を備える情報処理装置。
【請求項２】
前記第一アカウントは１つであり、前記第二アカウントは１又は複数である請求項１に記載の情報処理装置。
【請求項３】
前記第一アカウントに基づいてログイン処理を行うログイン手段と、
前記第一アカウントに基づいてログインが行われると、前記第一アカウント又は前記第二アカウントを選択する選択手段と、
を備える請求項１又は２に記載の情報処理装置。
【請求項４】
前記操作手段により前記アップロード対象として指定されたデータに、前記操作手段により指定された日付情報を設定する設定手段を有し、
前記手動アップロード手段は、前記設定手段により日付情報が設定された場合、前記アップロード対象のデータに前記設定された日付情報を対応付けて前記記憶手段にアップロードし、前記設定手段により日付情報が設定されていない場合は、前記アップロード対象のデータに現在日付を対応付けて前記記憶手段にアップロードし、
前記自動アップロード手段は、前記所定のデータに現在日付を対応付けて前記記憶手段にアップロードする請求項１〜３の何れか一項に記載の情報処理装置。
【請求項５】
前記記憶手段にアップロードしたデータを時系列に並べて表示するための画面情報を前記記憶手段からダウンロードするダウンロード手段と、
前記ダウンロードした画面情報を表示する表示手段と、
を備える請求項４に記載の情報処理装置。
【請求項６】
前記所定のデータは、前記第二アカウントが選択されている場合に前記操作手段により入力された描画データであり、
前記描画データが完成したことを検出する検出手段を備え、
前記所定のタイミングは、前記描画データが完成したことが検出されたタイミングである請求項１〜５の何れか一項に記載の情報処理装置。
【請求項７】
前記第一アカウントは、親アカウントであり、
前記第二アカウントは、子アカウントである請求項１〜６の何れか一項に記載の情報処理装置。
【請求項８】
前記記憶手段は、データを管理するサーバ装置である請求項１〜７の何れか一項に記載の情報処理装置。
【請求項９】
データを管理するサーバ装置と情報処理装置とが接続可能なデータ管理システムであって、
前記情報処理装置は、
前記サーバ装置にアクセスするための第一アカウントを作成する第一アカウント作成手段と、
前記第一アカウントに対応する第二アカウントを作成する第二アカウント作成手段と、
前記第一アカウントの使用時に、操作手段によりアップロード対象として指定されたデータを指定されたタイミングで前記サーバ装置にアップロードする手動アップロード手段と、
前記第二アカウントの使用時に、所定のデータを所定のタイミングで自動的に前記サーバ装置にアップロードする自動アップロード手段と、
を備えるデータ管理システム。
【請求項１０】
前記情報処理装置は、前記第一アカウントに基づいてログイン処理を行うログイン手段を備え、
前記サーバ装置は、前記第一アカウントに基づくログインによって、前記第一アカウント及び前記第二アカウントの双方でのアクセスを許可する請求項９に記載のデータ管理システム。
【請求項１１】
前記情報処理装置が特定の種類の情報処理装置である場合に、第二アカウントの使用及び前記自動アップロード手段による前記自動アップロードが可能である請求項９又は１０に記載のデータ管理システム。
【請求項１２】
データを管理する記憶手段にアクセスするための第一アカウントを作成する工程と、
前記第一アカウントに対応する第二アカウントを作成する工程と、
前記第一アカウントの使用時に、操作手段によりアップロード対象として指定されたデータを指定されたタイミングで前記記憶手段にアップロードする工程と、
前記第二アカウントの使用時に、所定のデータを所定のタイミングで自動的に前記記憶手段にアップロードする工程と、
を含むデータアップロード方法。
【請求項１３】
コンピュータを、
データを管理する記憶手段にアクセスするための第一アカウントを作成する第一アカウント作成手段、
前記第一アカウントに対応する第二アカウントを作成する第二アカウント作成手段、
前記第一アカウントの使用時に、操作手段によりアップロード対象として指定されたデータを指定されたタイミングで前記記憶手段にアップロードする手動アップロード手段、
前記第二アカウントの使用時に、所定のデータを所定のタイミングで自動的に前記記憶手段にアップロードする自動アップロード手段、
として機能させるためのプログラム。
【発明の詳細な説明】
【技術分野】
【０００１】
本発明は、情報処理装置、データ管理システム、データアップロード方法及びプログラムに関する。
【背景技術】
【０００２】
従来、ユーザアカウントにユーザ権限を設定するユーザアカウント管理機能が知られている（例えば、特許文献１参照）。従来のユーザアカウント管理機能では、ユーザは、付与されている権限を利用することができる。
【先行技術文献】
【特許文献】
【０００３】
【特許文献１】特開２００６−１３９５２２号公報
【発明の概要】
【発明が解決しようとする課題】
【０００４】
しかしながら、例えば、小さい子供が作成したデータをサーバ装置にアップロードして管理するような場合、子供にアップロードする権限を与えても、子供にはアップロードという概念がなく、複雑な操作もできない。そのため、親の手を煩わせなければデータをアップロードすることはできず、また、アップロードが漏れる可能性もあり、不便であった。
【０００５】
本発明の課題は、アカウントに応じて効率よくデータのアップロードができるようにすることである。
【課題を解決するための手段】
【０００６】
上記課題を解決するため、請求項１に記載の発明の情報処理装置は、
データを管理する記憶手段にアクセスするための第一アカウントを作成する第一アカウント作成手段と、
前記第一アカウントに対応する第二アカウントを作成する第二アカウント作成手段と、
前記第一アカウントの使用時に、操作手段によりアップロード対象として指定されたデータを指定されたタイミングで前記記憶手段にアップロードする手動アップロード手段と、
前記第二アカウントの使用時に、所定のデータを所定のタイミングで自動的に前記記憶手段にアップロードする自動アップロード手段と、
を備える。
【発明の効果】
【０００７】
本発明によれば、アカウントに応じて効率よくデータのアップロードを行うことが可能となる。
【図面の簡単な説明】
【０００８】
【図１】本実施形態におけるデータ管理システムの全体構成例を示す図である。
【図２】図１の情報処理装置の機能的構成を示すブロック図である。
【図３】図１のサーバ装置の機能的構成を示すブロック図である。
【図４】図３のアカウント情報記憶部のデータ格納例を示す図である。
【図５】図１のタブレット端末のＣＰＵにより実行される成長記録処理Ａを示すフローチャートである。
【図６】親アカウントログイン画面の一例を示す図である。
【図７】子アカウント選択画面の一例を示す図である。
【図８】図５のステップＳ１０において実行されるお絵かき処理を示すフローチャートである。
【図９】メニュー画面の一例を示す図である。
【図１０】下絵選択画面の一例を示す図である。
【図１１】描画画面の一例を示す図である。
【図１２】図５のステップＳ１２において実行されるＷｅｂ画面表示処理のフローチャートである。
【図１３】Ｗｅｂ画面の一例を示す図である。
【図１４】図１のスマートフォンのＣＰＵにより実行される成長記録処理Ｂを示すフローチャートである。
【発明を実施するための形態】
【０００９】
以下、添付図面を参照して本発明に係る好適な実施形態を詳細に説明する。なお、本発明は、図示例に限定されるものではない。
【００１０】
＜データ管理システム１００の構成＞
図１は、本実施形態のデータ管理システム１００の全体構成例を示す図である。
データ管理システム１００は、図１に示すように、タブレット端末１Ａ、スマートフォン１Ｂ、ＰＣ（Personal Computer）１Ｃ等の情報処理装置１と、サーバ装置２とを備えて構成されている。各情報処理装置１は、それぞれサーバ装置２と通信ネットワークＮを介して通信接続可能である。通信ネットワークＮは、例えば、インターネット回線であり、各装置がインターネット回線に接続するための無線ＬＡＮ（Local Area Network）や移動体通信網等の回線網を含む。なお、各情報処理装置の台数は、特に限定されない。
【００１１】
データ管理システム１００は、タブレット端末１Ａにおいて子供が描画した絵の描画データや、子供（家族）の静止画像、動画像等の子供の成長記録を情報処理装置１により記憶手段としてのサーバ装置２にアップロードすると、サーバ装置２においてアップロードされたデータを保存及び管理し、情報処理装置１からの要求に応じて、アップロードされたデータを閲覧可能に提供するシステムである。
【００１２】
＜情報処理装置１の構成＞
図２に、情報処理装置１の機能構成例を示す。図２に示すように、情報処理装置１は、ＣＰＵ（Central Processing Unit）１０、ＲＡＭ（Random Access Memory）１１、記憶部１２、通信部１３、表示部１４、操作部１５、カメラ１６、現在日時取得部１７等を備えて構成され、各部はバス１８により接続されている。
【００１３】
ＣＰＵ１０は、記憶部１２のプログラム記憶部１２１に記憶されているプログラムやサーバ装置２からダウンロードしたプログラムをＲＡＭ１１のワークエリアに展開し、展開したプログラムに従って、各種処理を実行する。
例えば、タブレット端末１ＡのＣＰＵ１０は、後述する成長記録処理Ａを実行することにより、親アカウント作成手段、子アカウント作成手段、ログイン手段、選択手段、手動アップロード手段、自動アップロード手段、設定手段、ダウンロード手段として機能する。
例えば、スマートフォン１ＢのＣＰＵ１０は、後述する成長記録処理Ｂを実行することにより、親アカウント作成手段、ログイン手段、手動アップロード手段、ダウンロード手段として機能する。
例えば、ＰＣ１ＣのＣＰＵ１０は、親アカウント作成手段、ログイン手段、手動アップロード手段、ダウンロード手段として機能する。
【００１４】
ＲＡＭ１１は、揮発性のメモリであり、ＣＰＵ１０により実行される各種プログラムやこれら各種プログラムに係るデータ等を記憶するワークエリアを有する。
【００１５】
記憶部１２は、ＨＤＤ（Hard Disk Drive）、半導体の不揮発性メモリ等により構成される。記憶部１２には、例えば、図１に示すように、プログラム記憶部１２１が設けられている。
【００１６】
プログラム記憶部１２１には、ＣＰＵ１０で実行されるシステムプログラムや各種処理プログラム、これらのプログラムの実行に必要なデータ等が記憶されている。例えば、プログラム記憶部１２１には、システムプログラムの他、Ｗｅｂブラウザや、情報処理装置１の種類がタブレット端末１Ａやスマートフォン１Ｂである場合には、その種類に応じた成長記録処理を実行するための成長記録アプリケーションプログラム（以下、成長記録アプリと呼ぶ）等が記憶されている。成長記録アプリは、予めサーバ装置２からダウンロードして記憶されたものである。タブレット端末１Ａに対応する成長記録アプリを成長記録アプリＡ、スマートフォン１Ｂに対応する成長記録アプリを成長記録アプリＢと呼ぶ。
これらのプログラムは、コンピュータ読み取り可能なプログラムコードの形態でプログラム記憶部１２１に格納されている。ＣＰＵ１０は、当該プログラムコードに従った動作を逐次実行する。
また、記憶部１２には、自装置の種類を示す端末種別情報や、静止画データ、動画データ等が記憶されている。
【００１７】
通信部１３は、無線ＬＡＮモジュール、ネットワークカード等により構成され、通信ネットワークＮを介してサーバ装置２等の外部装置と通信接続し、データ送受信を行う。
【００１８】
表示部１４は、ＬＣＤ（Liquid Crystal Display）等により構成され、ＣＰＵ１０からの表示制御信号に従って、画面上に各種表示を行う表示手段である。
【００１９】
操作手段としての操作部１５は、ユーザによる入力操作を受け付けてその操作情報をＣＰＵ１０に出力する。
例えば、情報処理装置１の種類がタブレット端末１Ａやスマートフォン１Ｂの場合、操作部１５は、表示部１４の表面を覆うように透明電極を格子状に配置したタッチパネル等を有し、手指やタッチペン等で押下された位置を検出し、その位置情報を操作情報としてＣＰＵ１０に出力する。また、操作部１５は、各種機能キー、シャッターキー等を備え、ユーザによる各キーの押下入力を受け付けてその操作情報をＣＰＵ１０に出力する。
例えば、情報処理装置１がＰＣ１Ｃである場合、操作部１５は、文字入力キー、数字入力キー、及び各種機能キー等を備えたキーボードと、マウス等のポインティングデバイスを備えて構成され、キーボードで押下操作されたキーの押下信号とマウスによる操作信号とを、入力信号としてＣＰＵ１０に出力する。
【００２０】
カメラ１６は、レンズ、絞り、ＣＣＤ（Charge  Coupled  Device）やＣＭＯＳ（Complementary  Metal  Oxide  Semiconductor）等の撮像素子を備え、撮像素子上に被写体の光学像を結像し、その像を電気的な信号としてＣＰＵ１０に出力する。
【００２１】
現在日時取得部１７は、ＲＴＣ（Real Time Clock）等により構成され、現在日時を計測してＣＰＵ１０に出力する。
【００２２】
＜サーバ装置２の構成＞
図３に、サーバ装置２の機能構成例を示す。図３に示すように、サーバ装置２は、ＣＰＵ２０、ＲＡＭ（Random Access Memory）２１、記憶部２２、通信部２３、表示部２４、操作部２５、現在日時取得部２６等を備えて構成され、各部はバス２７により接続されている。
【００２３】
ＣＰＵ２０は、記憶部２２に記憶されているプログラムを読み出してＲＡＭ２１のワークエリアに展開し、展開したプログラムに従って、各種処理を実行する。
【００２４】
ＲＡＭ２１は、揮発性のメモリであり、ＣＰＵ２０により実行される各種プログラムやこれら各種プログラムに係るデータ等を記憶するワークエリアを有する。
【００２５】
記憶部２２は、ＨＤＤ（Hard Disk Drive）、半導体の不揮発性メモリ等により構成される。記憶部２２には、例えば、図３に示すように、プログラム記憶部２２１、アカウント情報記憶部２２２、アップロードデータ記憶部２２３等が設けられている。
【００２６】
プログラム記憶部２２１には、ＣＰＵ２０で実行されるシステムプログラムや各種処理プログラム、これらのプログラムの実行に必要なデータ等が記憶されている。例えば、プログラム記憶部２２１には、情報処理装置１の種類に対応付けて、各装置の種類毎に、Ｗｅｂ画面１４６（図１３参照）を表示させるためのＷｅｂアプリを生成するためのプログラム等が記憶されている。また、プログラム記憶部２２１には、情報処理装置１の種類に対応付けて、各装置の種類毎に成長記録アプリ等の情報処理装置１に提供するプログラムが記憶されている。これらのプログラムは、コンピュータ読み取り可能なプログラムコードの形態でプログラム記憶部２２１に格納されている。
【００２７】
アカウント情報記憶部２２２には、サーバ装置２にアクセスする権利を有するユーザの複数種類のアカウント情報を含むユーザ情報が記憶されている。本実施例では複数種類のアカウント情報は、例えば第一アカウント情報として親アカウント情報、第二アカウント情報として子アカウント情報、である。図４に、アカウント情報記憶部２２２のデータ格納例を示す。図４に示すように、アカウント情報記憶部２２２には、ユーザである家族毎に、ＩＤ、親アカウント情報（識別情報（例えば、メールアドレス）、パスワード）、子アカウント情報（識別情報（例えば、なまえ））、各子アカウントに対応する子供のデータ（例えば、誕生日、身長、体重、画像等）が対応付けて記憶されている。
【００２８】
ここで、親アカウントとは、親ユーザに付与された、サーバ装置２にアクセスする権利である。親アカウント情報とは、サーバ装置２にアクセスする権利を有する親ユーザに割り当てられ、その親を識別（認証）するための情報である。子アカウントとは、子ユーザに付与された、サーバ装置２にアクセスする権利である。子アカウント情報とは、サーバ装置２にアクセスする権利を有する子ユーザに割り当てられ、その親を識別するための情報である。子アカウントは、親アカウントの下位に位置付け（対応付け）されており、親アカウントがなければ子アカウントは作成することができない。親アカウントがログインしていれば、子アカウントも使用可能となる。なお、１家族につき、親アカウントは１つ、子アカウントは複数登録することができる。
【００２９】
アップロードデータ記憶部２２３には、情報処理装置１からアップロードされたデータ（例えば、描画データ、コメントデータ、写真データ、動画データ等）に対し、親アカウント情報、アップロードした子ユーザのアカウント情報（描画データの場合）又は属性情報（描画データ以外の場合。詳細後述。）、及び日付情報が対応付けて記憶されている。
【００３０】
通信部２３は、ネットワークカード等により構成され、通信ネットワークＮを介して情報処理装置１等の外部装置と通信接続し、データ送受信を行う。
【００３１】
表示部２４は、ＬＣＤ（Liquid Crystal Display）等により構成され、ＣＰＵ２０からの表示制御信号に従って、画面上に各種表示を行う。
【００３２】
操作部２５は、文字入力キー、数字入力キー、及び各種機能キー等を備えたキーボードと、マウス等のポインティングデバイスを備えて構成され、キーボードで押下操作されたキーの押下信号とマウスによる操作信号とを、入力信号としてＣＰＵ２０に出力する。
【００３３】
現在日時取得部２６は、ＲＴＣ（Real Time Clock）等により構成され、現在日時を計測してＣＰＵ２０に出力する。
【００３４】
＜データ管理システム１００の動作＞
次に、本実施形態におけるデータ管理システム１００の動作について説明する。
まず、タブレット端末１Ａの動作について説明する。
【００３５】
図５に、タブレット端末１Ａによって実行される成長記録処理Ａのフローチャートを示す。成長記録処理Ａは、操作部１５により成長記録アプリＡの起動が指示された際に、ＣＰＵ１０とプログラム記憶部１２１に記憶されている成長記録アプリＡとの協働により実行される。
【００３６】
まず、ＣＰＵ１０は、成長記録アプリＡを起動させ（ステップＳ１）、表示部１４に親アカウントログイン画面１４１を表示させる（ステップＳ２）。
図６に、親アカウントログイン画面１４１の一例を示す。図６に示すように、親アカウントログイン画面１４１には、親アカウントを入力するための親アカウント入力領域１４１ａと、親アカウント入力領域１４１ａに入力したアカウントでログイン（サインイン）することを指示するためのログインボタン１４１ｂと、親アカウントが無く、親アカウントを作成することを指示するためのアカウント作成ボタン１４１ｃと、が設けられている。操作部１５により親アカウント入力領域１４１ａの押下が検出されると、ＣＰＵ１０は、キーボード等を表示し、親アカウントの入力を可能とする。
【００３７】
次いで、ＣＰＵ１０は、操作部１５によりアカウント作成ボタン１４１ｃの押下が検出されたか、又は親アカウント入力領域１４１ａからの入力及びログインボタン１４１ｂの押下が検出されたかを判断する（ステップＳ３）。
【００３８】
操作部１５により操作部１５によりアカウント作成ボタン１４１ｃの押下が検出されたと判断した場合（ステップＳ３；作成）、ＣＰＵ１０は、表示部１４に親アカウント作成画面（図示せず）を表示し、操作部１５による入力に従って親アカウントを作成し（ステップＳ４）、ステップＳ２に戻る。
【００３９】
親アカウント作成画面は、例えば、親アカウント情報（例えば、親ユーザの固有の識別情報（ここでは、メールアドレス）の入力欄及びパスワード）の入力欄、家族名の入力欄、確定ボタン等が表示された画面である。例えば、ステップＳ４において、ＣＰＵ１０は、操作部１５より親アカウント作成画面の各入力欄から必要事項が入力され、確定ボタンが押下されると、入力欄からの入力された親アカウント情報等を通信部１３によりサーバ装置２に送信する。サーバ装置２のＣＰＵ２０は、通信部２３によりタブレット端末１Ａからの親アカウント情報等を受信すると、アカウント情報記憶部２２２に受信した親アカウント情報及び家族名を記憶し、アカウント作成完了通知を情報処理装置１に送信する。
【００４０】
一方、親アカウントログイン画面１４１において操作部１５により親アカウント入力領域１４１ａからの入力及びログインボタン１４１ｂの押下が検出されたと判断した場合（ステップＳ３；ログイン）、ＣＰＵ１０は、親アカウントに基づくログイン処理を行う（ステップＳ５）。
ステップＳ５において、具体的に、ＣＰＵ１０は、親アカウント入力欄１４１ａから入力された親アカウント情報及び自装置の端末の種類を示す端末種別情報を通信部１３によりサーバ装置２に送信してサーバ装置２にログイン要求を行う。サーバ装置２のＣＰＵ２０は、通信部２３によりタブレット端末１Ａからの親アカウント情報、端末種別情報及びログイン要求を受信すると、アカウント情報記憶部２２２に記憶されている親アカウント情報と照合する。そして、受信した親アカウント情報と一致する親アカウント情報がアカウント情報記憶部２２２に存在した場合、ＣＰＵ２０は、その親アカウント及びこれに対応する子アカウントのアクセスを許可してタブレット端末１Ａに対しアクセス許可通知を送信するとともに、成長記録アプリの実行時に必要となるデータ（例えば、子アカウント情報、子供の画像等）をタブレット端末１Ａに送信する。なお、アクセスが許可された親アカウントの情報及び端末識別情報はログアウトするまでサーバ装置２のＲＡＭ２１に記憶されて管理される。また、タブレット端末１Ａにおいても同様にＲＡＭ１１に記憶されて管理される。
アクセス許可が通知されると、ＣＰＵ１０は、ログインした親アカウントを使用するアカウントとして選択する。
【００４１】
ログイン処理が終了すると、ＣＰＵ１０は、表示部１４に子アカウント選択画面１４２を表示する（ステップＳ６）。
図７に、子アカウント選択画面１４２の一例を示す。図７に示すように、子アカウント選択画面１４２には、子アカウント一覧１４２ａ、子アカウント作成ボタン１４２ｂ、Ｗｅｂ画面遷移ボタン１４２ｃが設けられている。子アカウント一覧１４２ａは、ログインした親アカウントに対応する子アカウントの情報を一覧表示する領域であり、一覧の中から何れかを押下することにより使用する子アカウントとして選択することができる。図７においては、子アカウントが１つ存在する場合を示している。親アカウントに対応する子アカウントがない場合は表示されない。子アカウント作成ボタン１４２ｂは、子アカウントの作成を指示するためのボタンである。Ｗｅｂ画面遷移ボタン１４２ｃは、子供の成長記録を閲覧したり投稿したりするためのＷｅｂ画面１４６（図１３参照）に遷移することを指示するためのボタンである。
【００４２】
子アカウント選択画面１４２において、操作部１５により子アカウント作成ボタン１４２ｂの押下が検出された場合（ステップＳ７；ＹＥＳ）、ＣＰＵ１０は、子アカウントを作成し（ステップＳ８）、ステップＳ７に戻る。具体的には、ＣＰＵ１０は、子アカウント選択画面１４２に新規の子アカウント情報（なまえ）の入力領域及び確定ボタンを表示し、操作部１５により新規の子アカウント情報が入力され、確定ボタンが押下されると、入力された子アカウント情報を親アカウント情報に対応付けてサーバ装置２に送信する。サーバ装置２のＣＰＵ２０は、通信部２３によりタブレット端末１Ａから子アカウント情報及び親アカウント情報を受信すると、アカウント情報記憶部２２２における受信した親アカウント情報に係るレコードの子アカウント情報の領域に、受信した子アカウント情報を記憶する。そして、子アカウント作成完了通知を情報処理装置１に送信する。
【００４３】
子アカウント選択画面１４２において、操作部１５により子アカウントの選択が検出された場合（ステップＳ７；ＮＯ、ステップＳ９；ＹＥＳ）ＣＰＵ１０は、選択された子アカウントを使用するアカウントとして選択し、お絵かき処理を実行する（ステップＳ１０）。なお、選択されたアカウントの情報は、ＲＡＭ１１に記憶される。
【００４４】
図８に、ステップＳ１０において実行されるお絵かき処理のフローチャートを示す。お絵かき処理は、ＣＰＵ１０と成長記録アプリＡとの協働により実行される。
まず、ＣＰＵ１０は、表示部１４にメニュー画面１４３を表示する（ステップＳ１０１）。
図９に、メニュー画面１４３の一例を示す。図９に示すように、メニュー画面１４３には、過去に自分（選択された子アカウントを有する子ユーザ）が書いた絵の閲覧を指示するための「ＭＹスケッチ」ボタン１４３ａ、お絵かきをすることを指示するための「なにをかこうかな」ボタン１４３ｂ、他の子供のスケッチの閲覧を指示するための「スケッチひろば」ボタン１４３ｃが表示されている。
【００４５】
操作部１５により「なにをかこうかな」ボタン１４３ｂの押下が検出された場合（ステップＳ１０２；ＹＥＳ）、ＣＰＵ１０は、表示部１４に下絵選択画面１４４を表示し、下絵の選択を受け付ける（ステップＳ１０３）。
図１０に、下絵選択画面１４４の一例を示す。図１０に示すように、下絵選択画面１４４には、お絵かきの下絵が描かれた（又はブランクの）スケッチブック１４４ａ及び右矢印ボタン１４４ｂが表示される。操作部１５により右矢印ボタン１４４ｂの押下が検出される毎に、表示される下絵が切り替え表示される。操作部１５によりスケッチブック１４４ａの押下が検出されると、押下されたスケッチブック１４４ａに表示されている下絵を選択することができる。
【００４６】
下絵が選択されると、ＣＰＵ１０は、描画画面１４５を表示部１４に表示し、お絵かきを開始する（ステップＳ１０４）。
図１１に、描画画面１４５の一例を示す。図１１に示すように、描画画面１４５には、描画領域１４５ａ、クレヨン１４５ｂ、線種選択ボタン１４５ｃ、消しゴム１４５ｄ、「かんせい」ボタン１４５ｅ、「うごかす」ボタン１４５ｆ、「もどる」ボタン１４５ｇ等が設けられている。「かんせい」ボタン１４５ａは、絵が完成したときに押下するボタンである。「うごかす」ボタンは、完成した絵を動かすことを指示するためのボタンである。「もどる」ボタン１４５ｇは、メニュー画面１４３に戻ることを指示するためのボタンである。選択された子アカウントを有する子ユーザは、クレヨン１４５ｂ及び線種選択ボタン１４５ｃを押下してクレヨン及び線種を選択し、描画領域１４５ａ上を指で移動させることにより、描画領域１４５ａに絵を描くことができる。
【００４７】
操作部１５により「もどる」ボタン１４５ｅの押下が検出されると、ＣＰＵ１０は、ステップＳ１０１の処理に戻る。操作部１５により「かんせい」ボタン１４５ｅ又は「うごかす」ボタン１４５ｆの押下が検出されると（ステップＳ１０６；ＹＥＳ又はステップＳ１０７；ＹＥＳ）、ＣＰＵ１０は、絵（描画データ）の完成を検出したと判断し、描画領域１４５ａに描画されている絵の描画データに、親アカウント情報、選択されている子アカウントの情報、及び日付情報（「かんせい」ボタン１４５ｅ又は「うごかす」ボタン１４５ｆの押下が検出された日付情報、即ち、完成日付）を対応付けて通信部１３によりサーバ装置２にアップロード（送信）し（ステップＳ１０８）、お絵かき処理を終了する。
サーバ装置２において、通信部２３によりタブレット端末１Ａから描画データ等が受信されると、ＣＰＵ２０は、受信した描画データを受信した親アカウント情報、子アカウント情報及び日付情報に対応付けてアップロードデータ記憶部２２３に記憶する。
【００４８】
一方、ステップＳ１０２において、「なにをかこうかな」ボタン１４３ｂ以外のメニューボタンの押下が検出された場合（ステップＳ１０２；ＮＯ）、ＣＰＵ１０は、メニューに応じた処理を実行し（ステップＳ１０９）、お絵かき処理を終了する。
【００４９】
このように、お絵かき処理では、選択されたアカウントを有する子供が絵を描き、完成したことを示す「かんせい」ボタン１４５ｅまたは完成した絵をうごかすことを指示する「うごかす」ボタン１４５ｆの押下を検出したタイミングで、描画領域１４５ａに描画された絵の描画データが自動的にサーバ装置２にアップロードされる。即ち、タブレット端末１Ａにおいて、子アカウントが選択されている場合には、アップロードするデータを選択したりアップロードを指示したりする操作をユーザが行わなくても自動的にサーバ装置２にアップロードすることができる。
【００５０】
図５に戻り、子アカウント選択画面１４２において、操作部１５によりＷｅｂ画面遷移ボタン１４２ｃの押下が検出された場合（ステップＳ７；ＮＯ、ステップＳ９；ＮＯ、ステップＳ１１；ＹＥＳ）、ＣＰＵ１０は、Ｗｅｂ画面表示処理を実行する（ステップＳ１２）。
【００５１】
図１２に、ステップＳ１２において実行されるＷｅｂ画面表示処理のフローチャートを示す。Ｗｅｂ画面表示処理は、ＣＰＵ１０と成長記録アプリＡ及びＷｅｂブラウザとの協働により実行される。
【００５２】
まず、ＣＰＵ１０は、通信部１３により選択されているアカウント（即ち、親アカウント）に基づいてＷｅｂ画面１４６（図１３参照）のＵＲＬ（Uniform Resource Locator）にアクセスし、サーバ装置２からＷｅｂブラウザ上でＷｅｂ画面１４６を表示するのに必要な画面情報及びＷｅｂ画面１４６上で実行する処理が記述されたプログラム（Ｗｅｂアプリ）をダウンロードする（ステップＳ１２０）。
サーバ装置２のＣＰＵ２０は、受信した親アカウント情報に対応付けてアップロードデータ記憶部２２３に記憶されているデータ及びログイン時の端末識別情報に基づいて、Ｗｅｂブラウザ上でＷｅｂ画面１４６の表示に必要な画面情報及びＷｅｂ画面１４６上で実行する処理が記述されたＷｅｂアプリを生成し、タブレット端末１Ａに送信する。
【００５３】
次いで、ＣＰＵ１０は、表示部１４にＷｅｂ画面１４６を表示する（ステップＳ１２１）。
図１３に、Ｗｅｂ画面１４６の一例を示す。図１３に示すように、Ｗｅｂ画面１４６には、アップロード指定領域１４６ａ、時系列表示領域１４６ｂ、家族情報領域１４６ｃ、子供情報領域１４６ｄ等が表示されている。
アップロード指定領域１４６ａは、アップロード対象のデータ、その属性、日付情報を指定（入力）し、指定したデータをアップロードするための操作領域であり、コメント入力欄１４６１、写真／動画指定欄１４６２、属性指定欄１４６３、日付指定欄１４６４、アップロードボタン１４６５等が設けられている。
時系列表示領域１４６ｂは、サーバ装置２のアップロードデータ記憶部２２３において、ログインした親アカウントに対応付けて保存されているデータ（描画データ、コメント、写真、動画等）を時系列で並べて表示する領域である。
家族情報領域１４６ｃは、家族の名称等を示す領域である。
子供情報領域１４６ｄは、子アカウントを持っている子ユーザの情報を表示する領域である。なお、子供情報領域１４６ｄに表示されている各子ユーザの情報に対応付けて「非表示にする」ボタンが設けられており、「非表示にする」ボタンを押下することにより、押下されたボタンに対応する子ユーザの情報を時系列表示領域１４６ｂに表示しないようにすることができる。
【００５４】
Ｗｅｂ画面１４６において、操作部１５によりアップロード対象のデータの指定操作が検出されると（ステップＳ１２２；ＹＥＳ）、ＣＰＵ１０は、検出された操作に応じてアップロード待ちデータの設定を行う（ステップＳ１２３）。
【００５５】
例えば、ＣＰＵ１０は、Ｗｅｂ画面１４６において、操作部１５によりコメント入力欄１４６１の押下が検出されると、キーボードをアップロード指定領域１４６ａの近傍に表示し、キーボードの押下によって入力されたコメントをアップロード待ちのデータとして設定する。
操作部１５により写真／動画指定欄１４６２の押下が検出されると、ＣＰＵ１０は、記憶部２２の写真や動画の保存されているフォルダの一覧を表示し、その中から操作部１５によりアップロード対象のデータのファイルが指定されると、指定されたファイルをアップロード待ちデータとして設定する。
操作部１５により属性指定欄１４６３の何れかの属性のチェックボックスの押下が検出されると、押下されたチェックボックスの属性に対応するアカウント情報（家族の場合は親アカウント情報）をアップロード対象のデータの属性情報として設定する。
操作部１５により日付指定欄１４６４が押下されると、ＣＰＵ１０は、カレンダーを表示し、カレンダー上から指定された日付をアップロード対象のデータに対応する日付情報として設定する。
【００５６】
なお、日付指定欄１４６４には、過去のみならず、将来の日付を指定することができる。例えば、子供の入学式（予定）、卒業式（予定）等の日付をコメントや学校の写真データ等に対応付けてアップロードすることにより、時系列表示領域１４６ｂに、家族の過去から将来（未来）に亘ってのタイムラインを形成して表示することができる。
【００５７】
操作部１５によりアップロードボタン１４６５の押下が検出されると（ステップＳ１２４；ＹＥＳ）、ＣＰＵ１０は、ステップＳ１２３において設定されたアップロード待ちデータに親アカウント情報、属性情報及び日付情報を対応付けて通信部１３によりサーバ装置２にアップロード（送信）し（ステップＳ１２５）、ステップＳ１２８に移行する。なお、ＣＰＵ１０は、日付情報が対応付けられていないデータには現在日付を対応付けてアップロードを行う。
サーバ装置２においては、通信部２３により受信したデータを親アカウント情報、属性情報に対応するアカウント情報及び日付情報に対応付けてアップロードデータ記憶部２２３に記憶する。
【００５８】
一方、Ｗｅｂ画面１４６において、操作部１５により「非表示にする」ボタンの押下が検出されると（ステップＳ１２２；ＮＯ、ステップＳ１２６；ＹＥＳ）、検出された「非表示にする」ボタンに対応するユーザに係るデータ（そのユーザの子アカウント情報に対応付けられているデータ）を非表示にし（ステップＳ１２７）、ステップＳ１２８に移行する。
【００５９】
ステップＳ１２８において、操作部１５によりＷｅｂ画面１４６を閉じる操作が検出されると（ステップＳ１２８）、ＣＰＵ１０は、Ｗｅｂ画面表示処理を終了する。
【００６０】
次に、スマートフォン１Ｂの動作について説明する。
図１４に、スマートフォン１Ｂによって実行される成長記録処理Ｂのフローチャートを示す。成長記録処理Ｂは、スマートフォン１Ｂにおいて、操作部１５により成長記録アプリＢの起動が指示された際に、ＣＰＵ１０とプログラム記憶部１２１に記憶されている成長記録アプリＢとの協働により実行される。
【００６１】
まず、ＣＰＵ１０は、成長記録アプリＢを起動させ（ステップＳ２１）、表示部１４に親アカウントログイン画面１４１（図６参照）を表示させる（ステップＳ２２）。
【００６２】
次いで、ＣＰＵ１０は、親アカウントログイン画面１４１において操作部１５によりアカウント作成ボタン１４１ｃの押下が検出されたか、又は、親アカウント入力領域１４１ａからの入力及び行われログインボタン１４１ｂの押下が検出されたかを判断する（ステップＳ２３）。
【００６３】
操作部１５によりアカウント作成ボタン１４１ｃの押下が検出されたと判断した場合（ステップＳ２３；作成）、ＣＰＵ１０は、表示部１４に親アカウント作成画面（図示せず）を表示し、操作部１５による入力に従って親アカウントを作成し（ステップＳ２４）、ステップＳ２２に戻る。なお、親アカウントの作成は、上述の図４のステップＳ４で説明したものと同様であるので説明を援用する。
【００６４】
一方、親アカウントログイン画面１４１において操作部１５により親アカウント入力領域１４１ａからの入力及びログインボタン１４１ｂの押下が検出されたと判断した場合（ステップＳ２３；ログイン）、ＣＰＵ１０は、親アカウントでのログイン処理を行う（ステップＳ２５）。ステップＳ２５のログイン処理は、図５のステップＳ５で説明したものと同様であるので説明を援用する。
【００６５】
ログイン処理が終了すると、ＣＰＵ１０は、Ｗｅｂ画面表示処理を実行し（ステップＳ２６）、成長記録処理Ｂを終了する。Ｗｅｂ画面表示処理は、図１２を用いて説明したものと動作主体が異なる（スマートフォン１Ｂとなる）他は同様であるので説明を省略する。ただし、サーバ装置２は、ログイン時に親アカウント情報とともに送られてくる端末種別情報に応じたＷｅｂアプリをログインを行った情報処理装置１に送信するので、Ｗｅｂ画面１４６の表示態様（縦横比や配置等）は図１３に示すものとは若干異なる。
【００６６】
次に、ＰＣ１Ｃの動作について説明する。
以下に示すＰＣ１Ｃの動作は、ＣＰＵ１０とプログラム記憶部１２１に記憶されているＷｅｂブラウザとの協働により実行される。
ＰＣ１Ｃにおいて、Ｗｅｂブラウザが起動され、操作部１５によりＷｅｂ画面１６４のＵＲＬが指定されると、ＣＰＵ１０は、通信部１３によりＵＲＬに基づいてサーバ装置２にアクセスする。
サーバ装置２においては、ＰＣ１Ｃからのアクセスを受信すると、ログイン画面を通信部２３によりサーバ装置２に送信する。ログイン画面は、図６に示す親アカウントログイン画面と同様の画面である。
【００６７】
ＰＣ１ＣのＣＰＵ１０は、通信部１３によりログイン画面を受信すると、受信したログイン画面を表示部１４に表示し、操作部１５によるログイン画面からの入力に基づいて、アカウント作成又はログイン処理を行う。アカウント作成、ログイン処理は、上述したものと同様であるので説明を省略する。
ログインを許可すると、サーバ装置２のＣＰＵ２０は、ログイン処理で受信した親アカウント情報に対応付けてアップロードデータ記憶部２２３に記憶されているデータ及びログイン時の端末識別情報に基づいて、Ｗｅｂブラウザ上でＷｅｂ画面１４６の表示に必要な画面情報及びＷｅｂ画面１４６上で実行する処理が記述されたＷｅｂアプリを生成し、ＰＣ１Ｃに送信する。
ＰＣ１Ｃは、通信部１３によりサーバ装置２からＷｅｂブラウザ上でＷｅｂ画面１４６を表示するのに必要な画面情報及びＷｅｂ画面１４６上で実行する処理が記述されたＷｅｂアプリを受信すると、Ｗｅｂアプリに基づいて表示部１４にＷｅｂ画面１４６を表示し、図１２に示すＷｅｂ画面表示処理のステップＳ１２２以降の処理を実行する。
【００６８】
以上説明したように、本実施形態におけるタブレット端末１Ａによれば、ＣＰＵ１０は、親アカウントが使用するアカウントとして選択されている場合に、操作部１５によりアップロード対象として指定されたデータを指定されたタイミングでサーバ装置２にアップロードし、子アカウントが使用するアカウントとして選択されている場合に、所定のデータを所定のタイミングで自動的にサーバ装置２にアップロードする。
【００６９】
従って、使用されているアカウントが親アカウントである場合には、手動操作に応じてデータのアップロードが行われ、使用されているアカウントが子アカウントである場合には、所定のデータが所定のタイミングで自動的にアップロードされるので、例えば、子供が子アカウントでタブレット端末を使用している場合に、所定のデータを所定のタイミングで親の手を煩わせずに漏れなくアップロードすることができ、使用されているアカウントに応じて効率よくデータのアップロードを行うことが可能となる。
【００７０】
また、親アカウント１つに対し、子アカウントは１又は複数作成することができるので、例えば、子供が複数の場合に、個々の子供に固有の子アカウントを割り当ててデータのアップロード及びデータの管理を行うことができる。
【００７１】
また、親アカウントに基づいてログインが行われると、親アカウント又は子アカウントの選択が可能となるので、子アカウントでのログイン操作が不要となる。
【００７２】
また、親アカウントに基づいてアップロードを行う場合、ＣＰＵ１０は、アップロード対象として指定されたデータに対する日付情報が操作部１５により指定された場合は、アップロード対象のデータにこの指定された日付情報を対応付けてサーバ装置２にアップロードし、操作部１５により日付情報が指定されていない場合は、アップロード対象のデータに現在日付を対応付けてサーバ装置２にアップロードする。また、子アカウントも基づいてアップロードを行う場合、アップロードする所定のデータに現在日付を対応付けてサーバ装置２にアップロードする。
従って、親アカウントを使用している場合は、所望の日付情報をアップロード対象のデータに対応付けることができ、子アカウントを使用している場合は、自動的に現在日付（即ち、アップロードした日付）をアップロード対象の所定のデータに対応付けることが可能となる。
【００７３】
また、サーバ装置２にアップロードしたデータを時系列に並べて表示するための画面情報をサーバ装置２からダウンロードし、ダウンロードした画面情報を表示部１４に表示することができる。従って、ユーザは、サーバ装置２にアップロードしたデータを時系列に並べて閲覧することが可能となる。
【００７４】
また、子アカウントが選択されている場合に描画データが完成したことが検出されたタイミングで描画データが自動アップロードされるので、アップロードするデータの指定やアップロードの指示等の操作を行わなくても子供がお絵かきした描画データを漏れなくサーバ装置２にアップロードして管理させることが可能となる。
【００７５】
また、サーバ装置２は、親アカウントに基づくログインによって、親アカウント及び子アカウントの双方でのアクセスを許可するので、子アカウントでのログイン操作が不要となる。
【００７６】
また、情報処理装置１がタブレット端末１Ａ等の特定の種類の端末である場合に、子アカウントの選択及び上記のデータの自動アップロードが可能となるので、子アカウントによる自動アップロードが可能な装置を制限することが可能となる。
【００７７】
なお、上記実施形態における記述内容は、データ管理システム１００の好適な一例であり、これに限定されるものではない。
【００７８】
例えば、上記実施形態においては、親子（家族）でデータ管理システム１００を利用し、親アカウントを親が使用し、子アカウントをその子供が使用する場合を例にとり説明したが、親アカウント、子アカウントは、実際に親子で使用するものに限定されない。例えば、幼稚園や学校等において、先生が親アカウントを使用し、生徒（児童）が子アカウントを使用することとしてもよい。
【００７９】
また、上記実施形態においては、子供のお絵かきの描画データをアップロードする場合を例にとり説明したが、これに限定されず、例えば、子供の文字や文章のデータ等の、他のデータをアップロードすることとしてもよい。
また、上記実施形態においては、描画データが完成したことが検出されたタイミング等で描画データが自動アップロードとしたが、これに限らず、所定の時間間隔毎に自動アップロードしてもよい。
【００８０】
また、上記の各処理を実行するためのプログラムを格納したコンピュータ読み取り可能な媒体として、ＲＯＭやハードディスク等の他、フラッシュメモリ等の不揮発性メモリ、ＣＤ−ＲＯＭ等の可搬型記録媒体を適用することも可能である。また、プログラムのデータを所定の通信回線を介して提供する媒体としては、キャリアウェーブ（搬送波）も適用される。
【００８１】
その他、データ管理システムを構成する各装置の細部構成及び細部動作に関しても、発明の趣旨を逸脱することのない範囲で適宜変更可能である。
【００８２】
(付記)
本発明のいくつかの実施形態を説明したが、本発明の範囲は、上述の実施形態に限定するものではなく、特許請求の範囲に記載された発明の範囲とその均等の範囲を含む。
以下に、この出願の願書に最初に添付した特許請求の範囲に記載した発明を付記する。付記に記載した請求項の項番は、この出願の願書に最初に添付した特許請求の範囲の通りである。
＜請求項１＞
データを管理する記憶手段にアクセスするための第一アカウントを作成する第一アカウント作成手段と、
前記第一アカウントに対応する第二アカウントを作成する第二アカウント作成手段と、
前記第一アカウントの使用時に、操作手段によりアップロード対象として指定されたデータを指定されたタイミングで前記記憶手段にアップロードする手動アップロード手段と、
前記第二アカウントの使用時に、所定のデータを所定のタイミングで自動的に前記記憶手段にアップロードする自動アップロード手段と、
を備える情報処理装置。
＜請求項２＞
前記第一アカウントは１つであり、前記第二アカウントは１又は複数である請求項１に記載の情報処理装置。
＜請求項３＞
前記第一アカウントに基づいてログイン処理を行うログイン手段と、
前記第一アカウントに基づいてログインが行われると、前記第一アカウント又は前記第二アカウントを選択する選択手段と、
を備える請求項１又は２に記載の情報処理装置。
＜請求項４＞
前記操作手段により前記アップロード対象として指定されたデータに、前記操作手段により指定された日付情報を設定する設定手段を有し、
前記手動アップロード手段は、前記設定手段により日付情報が設定された場合、前記アップロード対象のデータに前記設定された日付情報を対応付けて前記記憶手段にアップロードし、前記設定手段により日付情報が設定されていない場合は、前記アップロード対象のデータに現在日付を対応付けて前記記憶手段にアップロードし、
前記自動アップロード手段は、前記所定のデータに現在日付を対応付けて前記記憶手段にアップロードする請求項１〜３の何れか一項に記載の情報処理装置。
＜請求項５＞
前記記憶手段にアップロードしたデータを時系列に並べて表示するための画面情報を前記記憶手段からダウンロードするダウンロード手段と、
前記ダウンロードした画面情報を表示する表示手段と、
を備える請求項４に記載の情報処理装置。
＜請求項６＞
前記所定のデータは、前記第二アカウントが選択されている場合に前記操作手段により入力された描画データであり、
前記描画データが完成したことを検出する検出手段を備え、
前記所定のタイミングは、前記描画データが完成したことが検出されたタイミングである請求項１〜５の何れか一項に記載の情報処理装置。
＜請求項７＞
前記第一アカウントは、親アカウントであり、
前記第二アカウントは、子アカウントである請求項１〜６の何れか一項に記載の情報処理装置。
＜請求項８＞
前記記憶手段は、データを管理するサーバ装置である１〜７の何れか一項に記載の情報処理装置。
＜請求項９＞
データを管理するサーバ装置と情報処理装置とが接続可能なデータ管理システムであって、
前記情報処理装置は、
前記サーバ装置にアクセスするための第一アカウントを作成する第一アカウント作成手段と、
前記第一アカウントに対応する第二アカウントを作成する第二アカウント作成手段と、
前記第一アカウントの使用時に、操作手段によりアップロード対象として指定されたデータを指定されたタイミングで前記サーバ装置にアップロードする手動アップロード手段と、
前記第二アカウントの使用時に、所定のデータを所定のタイミングで自動的に前記サーバ装置にアップロードする自動アップロード手段と、
を備えるデータ管理システム。
＜請求項１０＞
前記情報処理装置は、前記第一アカウントに基づいてログイン処理を行うログイン手段を備え、
前記サーバ装置は、前記第一アカウントに基づくログインによって、前記第一アカウント及び前記第二アカウントの双方でのアクセスを許可する請求項９に記載のデータ管理システム。
＜請求項１１＞
前記情報処理装置が特定の種類の情報処理装置である場合に、第二アカウントの使用及び前記自動アップロード手段による前記自動アップロードが可能である請求項９又は１０に記載のデータ管理システム。
＜請求項１２＞
データを管理する記憶手段にアクセスするための第一アカウントを作成する工程と、
前記第一アカウントに対応する第二アカウントを作成する工程と、
前記第一アカウントの使用時に、操作手段によりアップロード対象として指定されたデータを指定されたタイミングで前記記憶手段にアップロードする工程と、
前記第二アカウントの使用時に、所定のデータを所定のタイミングで自動的に前記記憶手段にアップロードする工程と、
を含むデータアップロード方法。
＜請求項１３＞
コンピュータを、
データを管理する記憶手段にアクセスするための第一アカウントを作成する第一アカウント作成手段、
前記第一アカウントに対応する第二アカウントを作成する第二アカウント作成手段、
前記第一アカウントの使用時に、操作手段によりアップロード対象として指定されたデータを指定されたタイミングで前記記憶手段にアップロードする手動アップロード手段、
前記第二アカウントの使用時に、所定のデータを所定のタイミングで自動的に前記記憶手段にアップロードする自動アップロード手段、
として機能させるためのプログラム。
【符号の説明】
【００８３】
１  情報処理装置
１Ａ  タブレット端末
１Ｂ  スマートフォン
１Ｃ  ＰＣ
１０  ＣＰＵ
１１  ＲＡＭ
１２  記憶部
１２１  プログラム記憶部
１３  通信部
１４  表示部
１５  操作部
１６  カメラ
１７  現在日時取得部
１８  バス
２  サーバ装置
２０  ＣＰＵ
２１  ＲＡＭ
２２  記憶部
２２１  プログラム記憶部
２２２  アカウント情報記憶部
２２３  アップロードデータ記憶部
２３  通信部
２４  表示部
２５  操作部
２６  現在日時取得部
２７  バス
【図１】
0005888319.tif 000002
【図２】
0005888319.tif 000003
【図３】
0005888319.tif 000004
【図４】
0005888319.tif 000005
【図５】
0005888319.tif 000006
【図６】
0005888319.tif 000007
【図７】
0005888319.tif 000008
【図８】
0005888319.tif 000009
【図９】
0005888319.tif 000010
【図１０】
0005888319.tif 000011
【図１２】
0005888319.tif 000012
【図１３】
0005888319.tif 000013
【図１４】
0005888319.tif 000014
【図１１】
0005888319.tif 000015